(57)【要約】　　　（修正有）【課題】画像形成済みの用紙をソートすることができる画像形成装置を提供する。【解決手段】画像形成時に原稿枚数、複写部数等の設定情報を記憶する設定記憶部８０１と、ソートキー２０４が押圧されたことを検出すると共にユーザーに画像形成済みの用紙を給紙部３０に収納させるガイドを操作表示パネル２００に表示させ、設定記憶部８０１に記憶された設定情報に従って、給紙部３０に収納された画像形成済みの用紙を前記像形成部を経由して搬送させ、ソータ部１００にソートして排出させる並び替え制御部８０２とを備えた。【選択図】図５
2004131263.tif 000002
【特許請求の範囲】
【請求項１】
用紙載置部に載置された転写紙に対して像形成部で形成された画像の転写を行い、予め操作部を介して所望セット数を複写するべくソート条件が設定されているときは、ソート条件に従って並び替え部を動作させることにより前記画像が転写された転写紙をソートし、セット毎に排出部に排出する像形成モードを実行させる制御部を備えた画像形成装置において、前記操作部は並び替え条件の入力と共に並び替えモードの動作指示の設定を受け付けるもので、前記制御部は、前記実行した像形成モードに対応するセット数及び一セットあたりの転写数を有する設定情報を記憶する記憶手段を備えると共に、前記並び替えモードが指示されたとき、前記用紙載置部に載置された転写紙を、前記像形成部を経由して搬送させ、前記記憶手段に記憶された前記設定情報及び前記並び替え条件に従って前記並び替え部を動作させて前記排出部に排出させることを特徴とする画像形成装置。
【請求項２】
前記並び替えモードは、同一画像の複写された転写紙がセット数ずつ重なった積層状態の転写紙をセット毎の転写紙束にソートすると共に第１の排出部に排出するソートモードを有することを特徴とする請求項１記載の画像形成装置。
【請求項３】
前記並び替えモードは、ソートされたセット数分の転写紙束を、同一画像の複写された複数枚の転写紙がセット数ずつ重なった積層状態に直すと共に第１の排出部に排出する戻しモードを有することを特徴とする請求項１記載の画像形成装置。
【請求項４】
前記操作部は、前記並び替え対象の転写紙に対してセット単位で表わされた所定のページを指定する入力を受付けるもので、前記制御部は、前記並び替え対象の転写紙内の前記所定のページの転写紙を、第２の排出部に排出させることを特徴とする請求項２又は３に記載の画像形成装置。
【請求項５】
前記用紙載置部は、並び替え対象の転写紙の前記用紙載置部への載置の有無を検出することを特徴とする請求項１〜４のいずれかに記載の画像形成装置。
【請求項６】
前記用紙載置部は、転写紙を前記用紙載置部から取り出して搬送する給紙ローラの手前に転写紙を搬送する前送りローラを配置してなることを特徴とする請求項１〜５のいずれかに記載の画像形成装置。
【請求項７】
前記並び替えモードが指示されたとき、前記像形成モードにより前記排出部に排出された転写紙を前記用紙載置部に載置させるガイド表示を行うガイド表示手段をさらに備えることを特徴とする請求項１〜６のいずれかに記載の画像形成装置。
【発明の詳細な説明】
【０００１】
【発明の属する技術分野】
本発明は、ソート等の並び替え機能を備えた画像形成装置に関するものである。
【０００２】
【従来の技術】
従来、複写機等の画像形成装置として、原稿の画像が転写された転写紙をそのまま排出するモードの他に、原稿と同一のページ順に並べて排出し、所定の部数分のコピー物を作成するソート機能を備えたものがある（例えば、特許文献１参照。）。
【０００３】
図１７は、このようなソート機能を用いて３ページからなる原稿１１０を３部画像形成した場合の出力結果を示す図である。原稿１１０を通常のモードで画像形成した場合は、１ページ目の原稿Ａが３枚、次に２ページ目の原稿Ｂが３枚、次に３ページ目の原稿Ｃが３枚の順番で、グループ出力状態１１１の出力結果が得られる。一方、原稿１１０をソート機能を用いて画像形成した場合は、原稿と同一のＡ，Ｂ，Ｃの順でページが並べられた画像形成済みの転写紙が３部出力されるソート出力状態１１２の出力結果が得られる。
【０００４】
【特許文献１】
特開平０８−２４８６９８号公報
【０００５】
【発明が解決しようとする課題】
しかし、上記のような、ソート機能を備えた画像形成装置を用いて画像形成を行う際に、ソート機能の指定を忘れて画像形成を実行させてしまった場合には、画像形成後にユーザーが手作業でソートを行う必要がある。特に、部数が多い場合、各部の枚数が多い場合には非常な手間となり、コピー作業の効率低下は著しい。
【０００６】
本発明は上記事情に鑑みてなされたもので、画像形成済みの転写紙をソートすることができる画像形成装置を提供することを目的とする。
【０００７】
【課題を解決するための手段】
請求項１に記載の発明は、用紙載置部に載置された転写紙に対して像形成部で形成された画像の転写を行い、予め操作部を介して所望セット数を複写するべくソート条件が設定されているときは、ソート条件に従って並び替え部を動作させることにより前記画像が転写された転写紙をソートし、セット毎に排出部に排出する像形成モードを実行させる制御部を備えた画像形成装置において、前記操作部は並び替え条件の入力と共に並び替えモードの動作指示の設定を受け付けるもので、前記制御部は、前記実行した像形成モードに対応するセット数及びセットあたりの転写数を有する設定情報を記憶する記憶手段を備えると共に、前記並び替えモードが指示されたとき、前記用紙載置部に載置された転写紙を、前記像形成部を経由して搬送させ、前記記憶手段に記憶された前記設定情報及び前記並び替え条件に従って前記並び替え部を動作させて前記排出部に排出させることを特徴としている。
【０００８】
請求項１に記載の発明によれば、前記実行した像形成モードに対応するセット数及び一セットあたりの転写数を有する設定情報が前記記憶手段によって記憶され、前記操作部によって、前記並び替え条件の入力と共に並び替えモードの動作指示の設定が受付けられたとき、前記用紙載置部に載置された転写紙が、前記像形成部を経由して搬送され、前記並び替え部により前記設定情報及び前記並び替え条件に従って前記排出部に排出させる。これにより、前記用紙載置部に載置された転写紙を前記設定情報及び前記並び替え条件に応じて並び替えることが可能となる。
【０００９】
請求項２に記載の発明は、請求項１記載の画像形成装置において、前記並び替えモードは、同一画像の複写された転写紙がセット数ずつ重なった積層状態の転写紙をセット毎の転写紙束にソートすると共に第１の排出部に排出するソートモードを有することを特徴としている。請求項２に記載の発明によれば、前記ソートモードにより、同一画像の複写された転写紙がセット数ずつ重なった積層状態の転写紙が、セット毎の転写紙束にソートされると共に第１の排出部に排出される。
【００１０】
請求項３に記載の発明は、請求項１記載の画像形成装置において、前記並び替えモードは、ソートされたセット数分の転写紙束を、同一画像の複写された複数枚の転写紙がセット数ずつ重なった積層状態に直すと共に第１の排出部に排出する戻しモードを有することを特徴としている。請求項３に記載の発明によれば、ソートされたセット数分の転写紙束が、前記戻しモードにより、同一画像の複写された転写紙がセット数ずつ重なった積層状態に直されると共に第１の排出部に排出される。
【００１１】
請求項４に記載の発明は、請求項２又は３に記載の画像形成装置において、前記操作部は、前記並び替え対象の転写紙に対してセット単位で表わされた所定のページを指定する入力を受付けるもので、前記制御部は、前記並び替え対象の転写紙内の前記所定のページの転写紙を、第２の排出部に排出させることを特徴としている。請求項４に記載の発明によれば、前記所定のページの転写紙は、前記第１の排出部とは異なる排出部に排出されるので、前記並び替え対象の転写紙から、前記所定のページの転写紙が抜き取られる。
【００１２】
請求項５に記載の発明は、請求項１〜４のいずれかに記載の画像形成装置において、前記用紙載置部は、並び替え対象の転写紙の前記用紙載置部への載置の有無を検出することを特徴としている。請求項５に記載の発明によれば、前記並び替え対象の転写紙が前記用紙載置部に載置されているか否かが検出される。
【００１３】
請求項６に記載の発明は、請求項１〜５のいずれかに記載の画像形成装置において、前記用紙載置部は、転写紙を前記用紙載置部から取り出して搬送する給紙ローラの手前に転写紙を搬送する前送りローラを配置してなることを特徴としている。請求項６に記載の発明によれば、大きさが異なる転写紙が混在して前記用紙載置部に載置された場合に、大きさが小さいために前記給紙ローラの手前に載置された転写紙は、前記前送りローラによって搬送される。
【００１４】
請求項７に記載の発明は、請求項１〜６のいずれかに記載の画像形成装置において、前記並び替えモードが指示されたとき、前記像形成モードにより前記排出部に排出された転写紙を前記用紙載置部に載置させるガイド表示を行うガイド表示手段をさらに備えることを特徴としている。請求項７に記載の発明によれば、前記並び替えモードが指示されると、前記並び替えモードでの動作を可能にするための準備として、前記像形成モードにより前記排出部に排出された転写紙を前記並び替えの対象として前記用紙載置部に載置させるガイド表示が、前記ガイド表示手段によって行われる。
【００１５】
【発明の実施の形態】
図１は本発明の一実施形態に係る画像形成装置の正面断面図である。この画像形成装置は、複写機本体１と、この複写機本体１の上部に設置された原稿押えを兼用する原稿搬送機構１０と、複写機本体１の一側辺部に設置された給紙部３０と、他側辺部に設置されたソータ部１００とを備えた複写機等からなり、ソータ部１００に画像転写後の用紙が排出されるように構成されている。そして、複写機本体１の上面中央にはコンタクトガラス７が配設され、その下方には光学系部５０と、像形成部６０と、用紙搬送部７０と、定着部８０とが配設されている。
【００１６】
原稿搬送機構１０は、原稿載置部１１と、搬入ローラ対等を備えた搬入駆動部１２と、搬送ベルト１３と、排出ローラ１４と、排紙台１５と、原稿の有無を検出する原稿検出スイッチ１６とを備え、原稿載置部１１に載置された原稿を自動的に一枚ずつコンタクトガラス７上の所定位置まで搬入した後に一旦停止させ、原稿の露光走査後に排紙台１５に排出するものである。
【００１７】
給紙部３０は、サイズ、縦横向きの種類毎の用紙が収納される給紙デッキ部３１，３２，３３および手差し給紙部３４から構成されている。手差し給紙部３４は、手差しトレイ３４１に載置された用紙を給紙するものである。給紙デッキ部３１，３２，３３は、それぞれ上方の給紙位置と下方の補給位置の間を昇降可能に支持された用紙載置板４０上に複数枚の用紙が載置され、上記給紙位置において最上位の用紙を給紙ローラ４１、搬送ローラ４３及びさばきローラ４４によって所定のタイミングで順次給紙するように構成されている。給紙部３０の給紙デッキ部３１，３２，３３および手差し給紙部３４には、画像形成用の用紙（転写紙）と、画像形成を行わずに並び替えだけを行う並び替え対象の用紙（転写紙）とを収納することが可能にされている。
【００１８】
また、給紙部３０は、用紙載置板４０上に並び替え対象の用紙が載置された場合に、その中に混在する場合のあるサイズの小さい用紙に対して給紙ローラ４１の位置まで前送りする前送りローラ４２を備えている。また、給紙部３０は、後述する仕切り板３１１上に用紙がなくなったことを検出する用紙センサ４５を備えている。
【００１９】
用紙センサ４５は、例えば発光部と受光部とを備えた反射型フォトセンサで、発光部からの光が反射板３１２で反射した光を受光部で検出することで主制御部８は、並び替え対象の用紙なしと判断することとしている。
【００２０】
反射板３１２は、仕切り板３１１の上面部に設けられ、用紙面よりも光の反射率が高い鏡面部材から構成される。これにより、用紙センサ４５は、発光部からの光が反射板３１２で反射した場合と用紙面で反射した場合との反射光の強度の差を判別して、発光部からの光が反射板３１２で反射したことを検出する。
【００２１】
なお、反射板３１２は、例えば黒色材が塗布された光吸収材で構成され、用紙センサ４５は発光部からの光が反射板３１２で吸収されて受光部で検出されないことにより、並び替え対象の用紙なしと判断する構成としてもよい。
【００２２】
図２は、給紙デッキ部３１の用紙載置板４０上に並び替え対象の用紙４６，４７が載置された状態を示す斜視図である。
【００２３】
なお、以下、説明の便宜上、並び替え対象（転写済み）の用紙を用紙４６といい、未転写の用紙を用紙３１４という。用紙４６は、例えばＡ３サイズの用紙で、用紙載置板４０上に載置された状態で、その先端部が給紙デッキ部３１の壁面に当接すると共にその上面が給紙ローラ４１に当接している。また、用紙４７は、例えばＡ４サイズの用紙で、用紙４６よりも小さいためその先端部は給紙ローラ４１に届かない状態で、並び替え対象の用紙の最上位に載置されている場合もあり得る。この状態で、並び替え対象の用紙を搬送する方向の手前側に、例えば給紙デッキ部３１の略中間位置に前送りローラ４２が設けられ、前送りローラ４２の回転動作により、用紙４７を給紙ローラ４１の位置まで搬送する。これにより、並び替え対象の用紙にサイズの異なる用紙が先端が合わされていない状態で混在している場合であっても、給紙することが可能にされている。
【００２４】
図３は、給紙デッキ部３１の用紙載置板４０上に画像形成用の用紙３１４が載置された状態を示す斜視図である。給紙デッキ部３１の用紙を搬送する方向と平行な両側壁面部の内面には、相対応する位置に凹陥部３１３が用紙搬送方向の略中央から手前側端位置に亘って形成されている。凹陥部３１３には、並び替え時に既に存在する用紙３１４の上に載置される用紙４６を用紙３１４と仕切るための仕切り板３１１がスライド可能に嵌め込まれている。
【００２５】
給紙デッキ部３１は、サイズ調整用部品（図略）の操作のため、あるいは最大サイズの用紙に対応しうる大きさに形成された場合に、それ以下のサイズの用紙が先端揃えで載置されることから用紙搬送方向の手前側に所定の空間が存在するのが一般的であり、凹陥部３１３は、給紙デッキ部３１内の手前側は、仕切り板３１１の厚みに対応する退避用とされ、先頭側に向けて、上下方向に幅広となる形状にされており、用紙３１４の載置高さを吸収している。仕切り板３１１は、凹陥部３１３の先端位置で、上面の反射板３１２が用紙センサ４５に対向する。
【００２６】
給紙デッキ部３２，３３は、本実施形態では図２〜図４に示す給紙デッキ部３１と同様の構成からなり、例えば給紙デッキ部３１，３２，３３にそれぞれＡ３，Ａ４，Ｂ５サイズの用紙を収納しておき、給紙を行う給紙デッキ部を選択することによって、画像形成する用紙のサイズが選択可能にされている。
【００２７】
光学系部５０は、露光ランプ５１および反射板５２からなるライン状の光源と、反射鏡５３ａ，５３ｂ，５３ｃ，５３ｄ，５３ｅ，５３ｆおよびレンズ５４とを備え、露光ランプ５１および反射板５２からなる光源と、反射鏡５３ａと、反射鏡５３ｂ，５３ｃとが、それぞれ所定の速度で図１の左右方向（副走査方向）に往復駆動されるとともに、往動時に原稿画像の露光走査を行って原稿の光像を生成する。
【００２８】
像形成部６０は、回転可能に支持されたドラム状の感光体６１と、この感光体６１の周囲に配設された主帯電部６２と、現像部６３と、転写分離部６４と、クリーニング部６５と、除電部６６とを備えている。主帯電部６２は、感光体６１の表面を所定電位に均一に帯電させるものであり、その下流側に原稿の光像が露光される露光域が設けられ、この露光域において感光体６１表面に静電潜像が形成されるように構成されている。
【００２９】
また、現像部６３は、静電潜像にトナーを付着させて顕在化させるものであり、転写分離部６４は、感光体６１表面のトナー像を用紙に転写するとともに、転写後の用紙を感光体６１から分離させるものである。さらに、クリーニング部６５は、転写後に感光体６１の表面に残留しているトナーを清掃するものであり、除電部６６は、感光体６１表面の残留電荷を消去するものである。
【００３０】
用紙搬送部７０は、給紙部３０から給紙された用紙を感光体６１に向けて搬送する搬送ローラ対７１と、フィードローラ対７４と、光学系部５０の走査タイミングに同期して駆動されるレジストローラ対７５と、感光体６１から分離された用紙を定着部８０に搬送する搬送ベルト７６と、定着部８０によってトナー像が定着された用紙を定着部８０から導出する導出ローラ対７７と、用紙をソータ部１００へ排出する排出ローラ対７８とを有する。
【００３１】
また、ソータ部１００は、排出分岐ガイド１０１と複数段の排出ビンとからなり、最上段部の排出ビンをノンソートビン１０２とし、それ以下の複数段の排出ビンを有するソートビン１０３とを有している。排出分岐ガイド１０１は図示しない駆動部により、用紙の排出方向をノンソートビン１０２側とソートビン１０３側とに切り換え可能になっている。
【００３２】
ビン昇降機構１０４は、複写機本体１からの用紙の排出に同期して各ソートビン１０３を順次１段ずつ下降させて排出口に対向させるもので、これにより、用紙を各ビン上に順番に収納することで、ソート機能を実現する。
【００３３】
図５は、画像形成装置のブロック構成図である。図５において、画像形成装置は、各種の入力キースイッチ等として機能する操作表示パネル２００と、この操作表示パネル２００からの入力信号に応じて複写機本体１を制御する主制御部８、原稿搬送機構１０を制御する原稿搬送制御部１７及び、ソータ部１００を制御するソータ制御部１０５からなる制御部とを備えている。主制御部８と、他の原稿搬送制御部１７およびソータ制御部１０５との間でシリアル通信が行われ、各種のデータおよび動作タイミングを送受信して各部の動作制御が実行されるようになっている。
【００３４】
図６、図７、図８は、操作表示パネル２００の表示の一例を示す図である。操作表示パネル２００は、例えば液晶表示パネルの表面に透明の感圧センサが設けられたタッチパネルで構成され、種々の情報を表示すると共に、用紙選択キー２０１、プリントキー２０２、セットキー２０３、ソートキー２０４、並び替えキー２０５、並び替えモード選択キー２０６、抜き取りキー２０７及びキー選択タブ２０８等の入力手段として機能する。
【００３５】
図６を参照して、用紙選択キー２０１は、画像形成する用紙のサイズを選択する選択キーである。また、自動用紙を選択するキーを備え、このキーが指定された場合、原稿検出スイッチ１６により原稿サイズを検出して、原稿の大きさにあわせたサイズの用紙の選択が可能にされている。
【００３６】
プリントキー２０２は、複写動作の開始を指示するスタートキーである。セットキー２０３は、原稿を複写する複写枚数（セット数）を設定入力するキーで、セットキー２０３が指定されることに応答して原稿枚数及び複写枚数（セット数）を指示するためのキーが表示され、それぞれ数値入力が可能にされる。
【００３７】
ソートキー２０４は、画像形成された用紙をソートしてソートビン１０３へ排出させるソート複写モードの設定を行うキーである。キー選択タブ２０８は、機能ごとに設けられた他の入力キーを操作表示パネル２００に表示させるためのキーである。
【００３８】
図７は、キー選択タブ２０８の「機能リスト」キーを押圧した場合に操作表示パネル２００に表示される入力キーの一例を示す図である。並び替えキー２０５は、画像形成を行わずに用紙の並び替えだけを行う並び替えモードを指定するキーである。並び替えキー２０５を押圧した場合、操作表示パネル２００に、例えば図８に示す並び替え設定画面２０９が表示される。
【００３９】
並び替えモード選択キー２０６は、並び替えモードでの並び替え方法を設定するキーで、図１１に示すソートされていないグループ出力状態１１１の用紙をソート出力状態１１２へ並び替えるソート並び替えモードと、図１２に示すソートされているソート出力状態１１２にされた用紙をグループ出力状態１１１へ並び替える戻しモードとが選択可能にされている。抜き取りキー２０７は、並び替えモードによる並び替え時に、各セット内の特定ページの用紙を抜き取らせるための設定を行うキーである。
【００４０】
図５に戻って、原稿搬送制御部１７は、原稿搬送機構１０の制御プログラムを記憶するＲＯＭや一時的にデータを保管するＲＡＭが内蔵されたマイクロコンピュータ等からなり、原稿搬送機構１０に設けられた原稿搬送駆動部の動作を制御する制御信号を出力するように構成されている。また、原稿搬送制御部１７は、原稿検出スイッチ１６で得られた検出信号から原稿の有無を検出し、原稿が無くなるまで原稿搬送機構１０に原稿の給紙動作を繰り返させると共に、その原稿の枚数をカウントした原稿枚数データと、前記原稿の検出信号とを主制御部８へ出力する。
【００４１】
ソータ制御部１０５は、ソータ部１００の制御プログラムを記憶するＲＯＭや一時的にデータを保管するＲＡＭが内蔵されたマイクロコンピュータからなり、ソータ部１００に設けられた搬送ローラ対、ビン昇降機構１０４および排出分岐ガイド１０１の駆動部等の動作を制御するものである。例えば、後述する主制御部８からソータ制御部１０５へ出力されたビン切換信号に応じて、ソータ制御部１０５により排出分岐ガイド１０１の動作が制御され、用紙の排出方向がノンソートビン１０２側あるいはソートビン１０３側に切り換えられる。また、主制御部８からソータ制御部１０５へ出力されたソートビン降下信号に応じて、ソータ制御部１０５によりビン昇降機構１０４の動作が制御され、ソートビン１０３各排出ビンが順次１段ずつ上下方向の一方向に移動させられる。
【００４２】
主制御部８は、複写機本体１の制御プログラムを記憶するＲＯＭや一時的にデータを保管するＲＡＭが内蔵されたマイクロコンピュータからなり、プリントキー２０２が押された時点で、複写動作を開始させる制御信号を複写機本体１内の各部に出力するように構成されている。また、ソートキー２０４等の設定キーで設定された内容に基づき、原稿搬送制御部１７、給紙部３０、用紙搬送部７０、光学系部５０、像形成部６０及びソータ制御部１０５の各部に制御信号を出力するようになっている。
【００４３】
また、主制御部８は、セットキー２０３で得られた複写枚数（セット数）、用紙選択キー２０１で得られた画像形成する用紙のサイズ及び原稿搬送制御部１７で得られた原稿枚数（一セットあたりの転写数）等の設定情報を記憶する設定記憶部８０１と、並び替えモード選択キー２０６によって並び替えモードが設定された場合に給紙部３０、用紙搬送部７０及びソータ制御部１０５等の各部に制御信号を出力して並び替えモードでの動作を行わせる並び替え制御部８０２とを備える。
【００４４】
設定記憶部８０１は、プリントキー２０２が押圧されて実行された複数回数分の複写動作に対応する前記設定情報を記憶する。この場合、例えば、前記設定情報毎に当該設定情報に基づいて複写動作を開始させた時刻情報を記憶するようにしてもよい。また、設定記憶部８０１は、画像形成する用紙として「自動用紙」が選択されていた場合には、複写動作時に自動選択した用紙サイズを記憶し、複写動作時に異なるサイズの混在した原稿を「自動用紙」を選択して複写動作を行った場合には、原稿の各ページ毎に自動選択した用紙サイズを記憶するようにしてもよい。なお、複写機本体１が、パーソナルコンピュータ等の外部装置のプリンターとしても使用可能である場合には、設定記憶部８０１は、前記設定情報として前記外部装置で得られた設定情報等を記憶することとしてもよい。
【００４５】
並び替え制御部８０２は、並び替えモードが設定された場合、操作表示パネル２００に、設定記憶部８０１に記憶された前記設定情報をユーザーが選択可能に、例えば図９に示す出力管理画面２１０として一覧表示させる。出力管理画面２１０では、複写動作毎の設定情報を一つの単位とするジョブとして表示しており、ジョブ番号欄２１３の欄には、ジョブを識別するジョブ番号が表示されている。出力管理画面２１０にはジョブ番号１、２及び３で示される３つのジョブが表示され、各ジョブ番号の横に一列に当該ジョブの設定情報が選択可能に表示され、例えばジョブ番号２の設定情報が表示されている画面上を押圧後、選択キー２１８を押圧することにより、ジョブ番号２の設定情報を選択できるようになっている。
【００４６】
原稿枚数欄２１５には各ジョブ毎の原稿枚数が表示され、セット欄２１６には複写枚数（セット数）が表示され、登録日時欄２１７には各ジョブを実行した時刻情報が表示されている。また、複写機本体１が、パーソナルコンピュータ等の外部装置のプリンターとして使用された場合には、例えばプリンターのジョブであることを示すプリンタジョブマーク２１９を表示し、原稿複写のジョブである場合には、コピージョブマーク２２０を表示してもよい。また、ユーザー名等のユーザー情報を表示するユーザー情報欄２１４を設け、パーソナルコンピュータ等の外部装置から得られたユーザー名等を表示してもよい。これら時刻情報等を各ジョブ毎に出力管理画面２１０に表示させることにより、ユーザーが所定の設定情報を識別し、選択することが容易にされている。
【００４７】
また、並び替え制御部８０２は、抜き取りキー２０７が押圧された場合、抜き取りを行うページを設定するための設定画面を操作表示パネル２００に表示させ、ユーザーによって操作表示パネル２００に入力された抜き取りページを記憶する。そして、並び替え制御部８０２は、ユーザーによって選択された設定情報から用紙サイズの情報を取得し、当該サイズに応じて給紙デッキ部３１，３２，３３及び手差し給紙部３４のいずれかを選択する。この場合、前記用紙サイズの情報が、複数の用紙サイズが混在したものであったときは、最も大きいサイズの用紙を収納可能な給紙デッキ部等を選択する。
【００４８】
さらに、並び替え制御部８０２は、ユーザーに前記選択した給紙デッキ部等に並び替え対象となる画像形成済みの用紙を収納させるガイド表示画面を操作表示パネル２００に表示させる。図１４は、前記ガイド表示画面の一例を示す図である。
【００４９】
また、並び替え制御部８０２は、ユーザーによって選択された前記設定情報から原稿枚数と複写枚数（セット数）とを取得する。そして、並び替え制御部８０２は、ユーザーによって前記ソート並び替えモードが選択された場合には、給紙部３０、用紙搬送部７０及びソータ制御部１０５等の各部に制御信号を出力して、前記選択した給紙デッキ部等から前記複写枚数（セット数）分の用紙について各一枚づつソートビン１０３の各排出ビンに排出させる動作を、光学系部５０、像形成部６０及び定着部８０を停止させた状態で、前記原稿枚数（セット数）分の回数繰り返させる。これにより、グループ出力状態にされた用紙がソート出力状態に並び替えられる（図１１）。
【００５０】
また、並び替え制御部８０２は、ユーザーによって前記戻しモードが選択された場合には、給紙部３０、用紙搬送部７０及びソータ制御部１０５等の各部に制御信号を出力して、前記選択した給紙デッキ部等から前記原稿枚数分の用紙について各一枚づつソートビン１０３の各排出ビンに排出させる動作を、光学系部５０、像形成部６０及び定着部８０を停止させた状態で、前記複写枚数（セット数）分の回数繰り返させる。これにより、ソート出力状態にされた用紙がグループ出力状態に並び替えられる（図１２）。
【００５１】
また、並び替え制御部８０２は、前記抜き取りを行うページが設定された場合には、上記並び替え実行時に、該当するページをノンソートビン１０２へ排出させることにより、指定されたページの抜き取りを行う。
【００５２】
また、並び替え制御部８０２は、上記並び替え実行時に、前記並び替え対象の用紙の枚数、すなわち前記原稿枚数と前記複写枚数（セット数）との積により求められる枚数の用紙を給紙ローラ４１により給紙する前に、用紙センサ４５から投光された光が反射板３１２で反射されて用紙センサ４５で受光されたことを示す検出信号が、主制御部８で受信された場合には、上記並び替え動作が正常に行われなかったことをユーザーに通知するための画面を操作表示パネル２００に表示させる。
【００５３】
図１０は、上記構成の画像形成装置の複写動作を示すフローチャートである。まず、操作表示パネル２００においてソート複写モード等の設定がされると共に、セットキー２０３により複写枚数（セット数）が設定され、用紙選択キー２０１で用紙が選択され、これら設定情報が入力された状態で（ステップＳ１０１）、プリントキー２０２が押圧されると（ステップＳ１０２）、入力された設定情報が現在の時刻情報と共に設定記憶部８０１に記憶される（ステップＳ１０３）。
【００５４】
そして、複写動作が開始され、原稿載置部１１に載置された原稿がコンタクトガラス７上に搬送されると共に原稿のサイズが検出されて、当該検出された原稿サイズを示す原稿サイズデータが主制御部８へ出力される（ステップＳ１０４）。
【００５５】
次に、主制御部８により、画像形成を行う用紙のサイズが決定され、当該用紙のサイズが、各原稿毎にその原稿のページと対応可能に設定記憶部８０１に記憶される（ステップＳ１０５）。この場合、前記画像形成を行う用紙のサイズとしては、前記設定情報として固定サイズの用紙が選択されていた場合には、選択されていた用紙サイズが用いられ、一方、前記設定情報として自動用紙が選択されていた場合には、前記原稿サイズデータが用いられる。
【００５６】
次に、光源部からの光がコンタクトガラス７上に載置された原稿に投射されると、その反射光が反射鏡５３ａ〜５３ｃを介してレンズ部５４に導かれた後、反射鏡５３ｄ〜５３ｆを経て感光体６１の露光域に投射される。このとき、主帯電部６２により感光体６１表面が均一に帯電されており、光学系部５０により感光体６１の転写領域が露光されて静電潜像が形成される（ステップＳ１０６）。次に、現像部６３から感光体６１に供給される帯電トナーが上記静電潜像に付着して現像が行われる（ステップＳ１０７）。
【００５７】
一方、用紙は、給紙部３０から給紙された後、用紙搬送部７０によってレジストローラ対７５の設置部まで搬送され、このレジストローラ対７５により光学系部５０の動作に同期して感光体６１と転写分離部６４の隙間に搬送される（ステップＳ１０８）。そして、転写分離部６４により感光体６１のトナー像が上記用紙上に転写された後、感光体６１から分離され、分離された用紙は搬送ベルト７６により定着部８０の設置部に搬送される。この定着部８０において、上記トナー像が用紙上に定着され（ステップＳ１０９）た後、導出ローラ対７７により搬送され、排出ローラ対７８の設置部を経て画像形成された用紙がソータ部１００に排出される。
【００５８】
次に、主制御部８によって、ソート複写モードの設定がされているか否かが判断され、ソート複写モードの設定がされていない通常モードの場合（ステップＳ１１０でＮＯ）、主制御部８からソータ制御部１０５へ通常モードでの動作をさせるための制御信号が出力されて、ソータ制御部１０５は前記画像形成された用紙をノンソートビン１０２に排出させ（ステップＳ１１１）、一方、ソート複写モードの設定がされていた場合（ステップＳ１１０でＹＥＳ）には、主制御部８からソータ制御部１０５へソート複写モードでの動作をさせるための制御信号が出力されて、ソータ制御部１０５はソートビン１０３の各ビンに順次排出させてソートを行う（ステップＳ１１２）。
【００５９】
次に、主制御部８は、前記設定情報として設定された複写枚数（セット数）分の複写動作が行われたか否かを判断し、まだ前記複写枚数（セット数）分の複写動作が実行されていない場合は（ステップＳ１１３でＮＯ）再びステップＳ１０６へ移行して同じ原稿の複写動作を繰り返す。一方、前記複写枚数（セット数）分の複写動作が実行されていた場合には（ステップＳ１１３でＹＥＳ）、ステップＳ１１４に移行する。
【００６０】
次に、主制御部８は、原稿検出スイッチ１６で得られた原稿の検出信号から、原稿載置部１１に次の原稿があるか否かを判断し、次の原稿がある場合には（ステップＳ１１４でＹＥＳ）、ステップＳ１０３へ移行して次の原稿の複写動作を行わせる。一方、次の原稿が無い場合には（ステップＳ１１４でＮＯ）、原稿搬送制御部１７で得られた原稿枚数データを受信すると共に、当該原稿枚数を設定記憶部８０１に記憶させて原稿複写動作を終了する。
【００６１】
以上、ステップＳ１０１〜Ｓ１１５の動作により、複数枚数の原稿が複写され、ソート複写モードの設定に応じて画像形成された用紙がソータ部１００に排出される。例えば、ソート複写モードの設定がされていない通常モードの場合は、前記画像形成された用紙がノンソートビン１０２に、グループ出力状態１１１（図１１参照）で出力され、ソート複写モードの設定がされている場合は、前記画像形成された用紙がソートビン１０３に、ソート出力状態１１２（図１２参照）で出力される。また、一連の原稿複写動作（ジョブ）毎に、当該原稿枚数、複写枚数（セット数）、ソート複写モード等の設定内容、原稿のページ毎の画像形成を行った用紙のサイズ、及び当該原稿複写動作が実行された時刻情報が設定記憶部８０１に記憶される。
【００６２】
なお、本実施形態では、原稿に投射された反射光を光学系部５０により感光体６１が直接光学的に露光されて静電潜像が形成される画像形成装置の例を示したが、スキャナで読み取られた原稿画像からデジタル画像データが生成され、そのデジタル画像データに基づいてレーザ走査ユニットから感光体６１に投射されたレーザービームにより静電潜像が生成されるデジタル方式の画像形成装置であってもよい。また、パーソナルコンピュータ等の外部装置から原稿画像を表わしたデジタル画像データを受信して画像形成を行うプリンター等の画像形成装置であってもよく、この場合、光学系部５０を備えない構成であってもよい。また、ファクシミリ等他の画像形成装置であってもよい。
【００６３】
図１３は、グループ出力状態１１１及びソート出力状態１１２で出力された用紙の並び替え動作を示すフローチャートである。まず、操作表示パネル２００に図６に示す操作画面が表示され、キー選択タブ２０８の「機能リスト」が押圧されたとき、例えば図７に示す機能選択画面が主制御部８により操作表示パネル２００に表示され、さらに並び替えキー２０５が押圧された場合、設定記憶部８０１に記憶されている設定情報を選択するための出力管理画面２１０（図９参照）が並び替え制御部８０２により操作表示パネル２００に表示される（ステップＳ２１０）。
【００６４】
次に、ユーザーによって、出力管理画面２１０に表示されたジョブ、例えばジョブ番号３の設定情報が表示されている画面上が押圧され、さらに選択キー２１８が押圧されたことが操作表示パネル２００で検出されることによって、ジョブ番号３の設定情報が選択される（ステップＳ２１１）。
【００６５】
次に、並び替え制御部８０２により操作表示パネル２００に並び替え設定画面２０９（図８参照）が表示され、並び替えモード選択キー２０６が押圧されることにより並び替えモードが設定される（ステップＳ２１２）。また、抜き取りキー２０７が押圧された場合には、並び替え制御部８０２により抜き取りページの入力画面（図示せず）が操作表示パネル２００に表示され、抜き取りを行うページが入力された場合（ステップＳ２１３でＹＥＳ）、当該ページが抜き取りページとして設定される（ステップＳ２１４）。
【００６６】
次に、設定記憶部８０１に記憶されたジョブ番号３の設定情報から、ジョブ番号３で画像形成を行った用紙のサイズのうち最も大きい用紙サイズが、並び替え制御部８０２により確認され、当該最も大きいサイズの用紙を収納可能な給紙デッキ部、例えばＡ３サイズの用紙を収納可能な給紙デッキ部３１が選択される。そして、ユーザーに対して当該選択された給紙デッキ部３１に並び替え対象の用紙を収納させるガイド表示画面（図１４参照）が並び替え制御部８０２により操作表示パネル２００に表示される（ステップＳ２１５）。
【００６７】
次に、操作表示パネル２００に表示された並び替えスタートボタン（図示せず）が押圧された場合（ステップＳ２１６でＹＥＳ）、並び替え制御部８０２により設定されている並び替えモードが確認され、ソート並び替えモードが設定されているときは（ステップＳ２１７でＹＥＳ）ステップＳ２１８に移行してソート並び替えモードでの並び替えが実行され、戻しモードが設定されているときは（ステップＳ２１７でＮＯ）ステップＳ２１９に移行して戻しモードでの並び替えが実行される。
【００６８】
図１５は、ステップＳ２１８でのソート並び替えモードでの処理を示すフローチャートである。この場合、給紙デッキ部３１には、図１１に示すグループ出力状態１１１で並び替え対象の用紙が収納されている。まず、並び替え制御部８０２により設定記憶部８０１に記憶されたジョブ番号３の設定情報から、複写枚数（セット数）が変数ｉに、原稿枚数が変数ｊに代入され（ステップＳ３０１）、用紙センサ４５で得られた並び替え紙検出信号がＨｉレベルのとき（ステップＳ３０２でＹＥＳ）、並び替え対象の用紙が給紙デッキ部３１にないと判断される。この場合、ジョブ番号３の設定情報から得られる並び替え対象の用紙の枚数分の並び替えが実行される前に並び替え対象の用紙がなくなったことになるため、並び替え動作が正常に行われなかったことをユーザーに通知するためのエラー通知画面が並び替え制御部８０２により操作表示パネル２００に表示され（ステップＳ３０３）、ソート並び替えモードでの処理が終了する。
【００６９】
一方、用紙センサ４５で得られた並び替え紙検出信号がＬｏｗレベルのとき（ステップＳ３０２でＮＯ）、並び替え制御部８０２により、並び替え対象の用紙が給紙デッキ部３１に収納されていると判断される。そして、並び替え制御部８０２からの制御信号に従って、給紙デッキ部３１から並び替え対象の用紙が１枚用紙搬送部７０へ給紙され（ステップＳ３０４）、さらに用紙搬送部７０によって当該用紙がソータ部１００へ搬送される（ステップＳ３０５）。
【００７０】
この場合、ステップＳ３０４において、給紙デッキ部３１に例えば自動用紙設定によって複写されたＡ３サイズの用紙とＡ４サイズの用紙が並び替え対象の用紙として混在して収納されていた場合、Ａ３サイズの用紙は給紙ローラ４１、搬送ローラ４３及びさばきローラ４４によって用紙搬送部７０へ給紙され、一方、Ａ４サイズの用紙は前送りローラ４２によって給紙ローラ４１の位置まで搬送された後、給紙ローラ４１、搬送ローラ４３及びさばきローラ４４によって用紙搬送部７０へ給紙される。
【００７１】
次に、並び替え制御部８０２により、当該搬送された用紙がステップＳ２１４において設定された抜き取りページであるか否かが判断され、抜き取りページである場合は（ステップＳ３０６でＹＥＳ）、並び替え制御部８０２からのビン切換信号に応じてソータ制御部１０５により排出分岐ガイド１０１がノンソートビン１０２側へ切り替えられ、当該用紙がノンソートビン１０２に排出される（ステップＳ３０７）。
【００７２】
一方、当該用紙が抜き取りページでない場合は（ステップＳ３０６でＮＯ）、並び替え制御部８０２からのビン切換信号に応じてソータ制御部１０５により排出分岐ガイド１０１がソートビン１０３へ切り替えられ、当該用紙がソートビン１０３に排出される（ステップＳ３０８）。これにより、抜き取りが指定されたページの用紙はノンソートビン１０２に排出され、抜き取りが指定されたページ以外の用紙はソートビン１０３に排出されるので、ソートビン１０３に排出される用紙から抜き取りが指定されたページが抜き取られる。
【００７３】
以上、ステップＳ３０１〜Ｓ３０８の処理により、並び替え対象の用紙１枚分の並び替え処理が終了し、次の用紙の並び替え処理を行うべくステップＳ３０９へ移行する。ステップＳ３０９で、並び替え制御部８０２により、変数ｉから１減算され、減算された結果ｉが０でなかった場合は（ステップＳ３１０でＮＯ）給紙デッキ部３１に収納されている次の用紙は、同一ページの用紙であると判断される。
【００７４】
そして、次の用紙を別のビンに排出させるべく、並び替え制御部８０２によりソートビン昇降信号がソータ制御部１０５へ出力され、ソータ制御部１０５によりビン昇降機構１０４の動作が制御され、ソートビン１０３の各排出ビンが順次１段ずつ例えば上方向に移動させられ（ステップＳ３１１）た後、再びステップＳ３０２へ移行して次の用紙の並び替え処理を行う。これにより、同一ページの用紙は、ソートビン１０３の異なる排出ビンに１枚ずつ排出され、ソートされる。
【００７５】
一方、減算された結果ｉが０の場合は、当該ページの複写枚数（セット数）分のソートが終了し、給紙デッキ部３１に収納されている次の用紙は、次ページの用紙であると判断され（ステップＳ３１０でＹＥＳ）、並び替え制御部８０２によりソートビン昇降信号がソータ制御部１０５へ出力され、ソータ制御部１０５によりビン昇降機構１０４の動作が制御され、ソートビン１０３の最上位の排出ビンに用紙が排出されるように、各排出ビンが下方向に移動させられる（ステップＳ３１２）。
【００７６】
次に、並び替え制御部８０２により、変数ｊから１減算され（ステップＳ３１３）、減算された結果ｊが０でなかった場合は、原稿枚数分の並び替え処理が終わっていないと判断され（ステップＳ３１４でＮＯ）、次のページを並び替えるべく変数ｉに複写枚数（セット数）を代入して初期化（ステップＳ３１５）した後、再びステップＳ３０２へ移行して次の用紙の並び替え処理を行う。これにより、次ページの用紙が、ソートビン１０３の各排出ビンに１枚ずつ排出された前ページの用紙の上に排出されるので、並び替え対象の用紙はページ順にソートビン１０３に排出されて、ソート出力状態１１２に並び替えられる。一方、減算された結果ｊが０の場合は（ステップＳ３１４でＹＥＳ）、並び替え制御部８０２は、並び替え対象の用紙をすべて並び替えたと判断して並び替え処理を終了する。
【００７７】
以上、ステップＳ３０１〜Ｓ３１４の処理により、給紙デッキ部３１に収納された並び替え対象の用紙が、ソートビン１０３に排出されてグループ出力状態１１１からソート出力状態１１２へ並び替えられる。また、抜き取りが指定されたページは、ノンソートビン１０２に排出される。
【００７８】
図１６は、ステップＳ２１９での戻しモードでの処理を示すフローチャートである。この場合、給紙デッキ部３１には、図１２に示すソート出力状態１１２で並び替え対象の用紙が収納されている。まず、並び替え制御部８０２により設定記憶部８０１に記憶されたジョブ番号３の設定情報から、複写枚数（セット数）が変数ｉに、原稿枚数が変数ｊに代入され（ステップＳ３２１）、用紙センサ４５で得られた並び替え紙検出信号がＨｉレベルのとき（ステップＳ３２２でＹＥＳ）、並び替え対象の用紙が給紙デッキ部３１にないと判断される。この場合、ジョブ番号３の設定情報から得られる並び替え対象の用紙の枚数分の並び替えが実行される前に並び替え対象の用紙がなくなったことになるため、並び替え動作が正常に行われなかったことをユーザーに通知するためのエラー通知画面が並び替え制御部８０２により操作表示パネル２００に表示され（ステップＳ３２３）、戻しモードでの処理が終了する。
【００７９】
一方、並び替え制御部８０２により、用紙センサ４５で得られた並び替え紙検出信号がＬｏｗレベルのとき（ステップＳ３２２でＮＯ）、並び替え対象の用紙が給紙デッキ部３１に収納されていると判断される。そして、並び替え制御部８０２からの制御信号に従って、給紙デッキ部３１から並び替え対象の用紙が１枚用紙搬送部７０へ給紙され（ステップＳ３２４）、さらに用紙搬送部７０によって当該用紙がソータ部１００へ搬送される（ステップＳ３２５）。
【００８０】
次に、並び替え制御部８０２により、当該搬送された用紙がステップＳ２１４において設定された抜き取りページであるか否かが判断され、抜き取りページである場合は（ステップＳ３２６でＹＥＳ）、並び替え制御部８０２からのビン切換信号に応じてソータ制御部１０５により排出分岐ガイド１０１がノンソートビン１０２側へ切り替えられ、当該用紙がノンソートビン１０２に排出される（ステップＳ３２７）。
【００８１】
一方、当該用紙が抜き取りページでない場合は（ステップＳ３２６でＮＯ）、並び替え制御部８０２からのビン切換信号に応じてソータ制御部１０５により排出分岐ガイド１０１がソートビン１０３へ切り替えられ、当該用紙がソートビン１０３に排出される（ステップＳ３２８）。これにより、抜き取りが指定されたページの用紙はノンソートビン１０２に排出され、抜き取りが指定されたページ以外の用紙はソートビン１０３に排出されるので、ソートビン１０３に排出される用紙から抜き取りが指定されたページが抜き取られる。
【００８２】
以上、ステップＳ３２１〜Ｓ３２８の処理により、並び替え対象の用紙１枚分の並び替え処理が終了し、次の用紙の並び替え処理を行うべくステップＳ３２９へ移行する。ステップＳ３２９では、並び替え制御部８０２により、変数ｊから１減算され、減算された結果ｊが０でなかった場合は原稿枚数分の並び替え処理が終わっていないので、給紙デッキ部３１に収納されている次の用紙は、次ページの用紙であると判断される（ステップＳ３３０でＮＯ）。
【００８３】
そして、次の用紙を別のビンに排出させるべく、並び替え制御部８０２によりソートビン昇降信号がソータ制御部１０５へ出力され、ソータ制御部１０５によりビン昇降機構１０４の動作が制御され、ソートビン１０３の各排出ビンが順次１段ずつ例えば上方向に移動させられ（ステップＳ３３１）た後、再びステップＳ３２２へ移行して次の用紙の並び替え処理を行う。これにより、異なるページの用紙は、ソートビン１０３の異なる排出ビンに１枚ずつ排出される。
【００８４】
一方、前記減算された結果ｊが０の場合は（ステップＳ３３０でＹＥＳ）、並び替え制御部８０２により、原稿と同じページの並び順にされた原稿枚数分の用紙（１部に相当）の並び替えが終了したと判断され、給紙デッキ部３１に収納されている次の用紙は、次の部の最初のページの用紙であると判断され、並び替え制御部８０２によりソートビン昇降信号がソータ制御部１０５へ出力され、ソータ制御部１０５によりビン昇降機構１０４の動作が制御され、ソートビン１０３の最上位の排出ビンに用紙が排出されるように、各排出ビンが下方向に移動させられる（ステップＳ３３２）。
【００８５】
次に、並び替え制御部８０２により、変数ｉから１減算され（ステップＳ３３３）、減算された結果ｉが０でなかった場合は（ステップＳ３３４でＮＯ）、並び替え制御部８０２は、並び替え対象の用紙がまだ給紙デッキ部３１に収納されていると判断して、次の部の用紙を並び替えるべく変数ｊに原稿枚数を代入して初期化（ステップＳ３３５）した後、再びステップＳ３２２へ移行して次の用紙の並び替え処理を行う。これにより、次の部の用紙がページ毎に、ソートビン１０３の各排出ビンに１枚ずつ排出されるので、並び替え対象の用紙に含まれる同一のページは同一のビンに排出されて、グループ出力状態１１１にされる。一方、前記減算された結果ｉが０の場合は（ステップＳ３３４でＹＥＳ）、並び替え制御部８０２は、並び替え対象の用紙をすべて並び替えたと判断して並び替え処理を終了する。
【００８６】
以上、ステップＳ３２１〜Ｓ３３４の処理により、給紙デッキ部３１に収納された並び替え対象の用紙が、ソートビン１０３に排出されてソート出力状態１１２からグループ出力状態１１１へ並び替えられる。また、抜き取りが指定されたページは、ノンソートビン１０２に排出される。
【００８７】
なお、ソータ部１００は、複数段の排出ビンを有するソートビン１０３を備え、並び替え対象の用紙は、並び替え制御部８０２による制御に応じてソートビン１０３の各排出ビンに所定の順序で排出されてソートされる構成を示したが、ソートビン１０３は、単一の排出部で構成されるとともに、並び替えられた用紙が、各部単位あるいは各グループ単位で排出位置をずらす等の方法により、前記単一の排出部に排出される構成であってもよい。
【００８８】
【発明の効果】
請求項１に記載の発明によれば、前記用紙載置部に載置された転写紙を前記並び替え条件及び前記記憶手段によって記憶された設定情報に応じて並び替えることができるので、前記用紙載置部に画像形成済みの転写紙を載置することにより、画像形成済みの転写紙をソートすることができる。また、前記並び替えを行う際に、ユーザーが前記セット数及びセット数あたりの転写数を入力する必要がない。
【００８９】
請求項２に記載の発明によれば、同一画像の複写された転写紙がセット数ずつ重なった積層状態の転写紙を、セット毎の転写紙束にソートできるので、ソート機能を用いずにセット数分複写された転写紙を、セット毎の転写紙束にソートして並び替えることができる。
【００９０】
請求項３に記載の発明によれば、ソートされたセット数分の転写紙束が、同一画像の複写された転写紙がセット数ずつ重なった積層状態に直されるので、ソート機能を用いてセット数分複写された転写紙を、ソートせずにセット数分複写された状態に並び替えることができる。
【００９１】
請求項４に記載の発明によれば、前記所定のページの転写紙は、並び替えられた転写紙とは異なる排出部に排出されるので、前記並び替え対象の転写紙束は、前記所定のページの転写紙が抜き取られて並び替えられる。
【００９２】
請求項５に記載の発明によれば、前記並び替え対象の転写紙が前記用紙載置部に載置されているか否かが検出されるので、前記並び替え対象の転写紙が前記用紙載置部に載置されていない場合に前記並び替えモードの実行を停止することが可能になる。
【００９３】
請求項６に記載の発明によれば、大きさが小さいために前記給紙ローラの手前に載置された転写紙を、前記前送りローラによって搬送することができるので、異なる大きさの混在している転写紙を並び替え対象の転写紙とすることができる。
【００９４】
請求項７に記載の発明によれば、前記並び替えの対象となる転写紙を前記用紙載置部に載置させるガイド表示が行われるので、ユーザーが前記並び替えの対象となる転写紙を前記用紙載置部に載置する作業が容易になる。
【図面の簡単な説明】
【図１】本発明の一実施形態に係る画像形成装置の正面断面図である。
【図２】本発明の一実施形態に係る給紙デッキ部３１の斜視図である。
【図３】本発明の一実施形態に係る給紙デッキ部３１の斜視図である。
【図４】本発明の一実施形態に係る給紙デッキ部３１の斜視図である。
【図５】本発明の一実施形態に係る画像形成装置のブロック図である。
【図６】本発明の一実施形態に係る操作画面の一例を示す図である。
【図７】本発明の一実施形態に係る操作画面の一例を示す図である。
【図８】本発明の一実施形態に係る操作画面の一例を示す図である。
【図９】本発明の一実施形態に係る設定情報表示画面の一例を示す図である。
【図１０】本発明の一実施形態に係る画像形成装置の複写動作を示すフローチャートである。
【図１１】本発明の一実施形態に係る並び替え動作を説明するための図である。
【図１２】本発明の一実施形態に係る並び替え動作を説明するための図である。
【図１３】本発明の一実施形態に係る並び替え動作を示すフローチャートである。
【図１４】本発明の一実施形態に係るガイド表示画面の一例を示す図である。
【図１５】本発明の一実施形態に係る並び替え動作を示すフローチャートである。
【図１６】本発明の一実施形態に係る並び替え動作を示すフローチャートである。
【図１７】従来例によるソート動作を説明するための図である。
【符号の説明】
１　　　　　　複写機本体
７　　　　　　コンタクトガラス
８　　　　　　主制御部（制御部）
１０　　　　原稿搬送機構
１１　　　　原稿載置部
１２　　　　搬入駆動部
１３　　　　搬送ベルト
１４　　　　排出ローラ
１５　　　　排紙台
１６　　　　原稿検出スイッチ
１７　　　　原稿搬送制御部（制御部）
３０　　　　給紙部（用紙載置部）
３１，３２，３３　　　　　　　　給紙デッキ部（用紙載置部）
３４　　　　手差し給紙部（用紙載置部）
４０　　　　用紙載置板
４１　　　　給紙ローラ
４２　　　　前送りローラ
４３　　　　搬送ローラ
４４　　　　さばきローラ
４５　　　　用紙センサ
４６，４７　　　　　　用紙
５０　　　　光学系部（読み取り部）
５１　　　　露光ランプ
５２　　　　反射板
５３ａ，５３ｂ，５３ｃ，５３ｄ，５３ｅ，５３ｆ　　反射鏡
５４　　　　レンズ部
６０　　　　像形成部
６１　　　　感光体
６２　　　　主帯電部
６３　　　　現像部
６４　　　　転写分離部
６５　　　　クリーニング部
６６　　　　除電部
７０　　　　用紙搬送部
７１　　　　搬送ローラ対
７４　　　　フィードローラ対
７５　　　　レジストローラ対
７６　　　　搬送ベルト
７７　　　　導出ローラ対
７８　　　　排出ローラ対
８０　　　　定着部
１００　　ソータ部（並び替え部）
１０１　　排出分岐ガイド
１０２　　ノンソートビン（排出部）
１０３　　ソートビン（排出部）
１０４　　ビン昇降機構
１０５　　ソータ制御部（制御部）
１１０　　原稿
１１１　　グループ出力状態
１１２　　ソート出力状態
２００　　操作表示パネル（操作部、ガイド表示手段）
２０１　　用紙選択キー
２０２　　プリントキー
２０３　　セットキー
２０４　　ソートキー
２０５　　並び替えキー
２０６　　並び替えモード選択キー
２０７　　抜き取りキー
２０８　　キー選択タブ
２０９　　並び替え設定画面
２１０　　出力管理画面
２１３　　ジョブ番号欄
２１４　　ユーザー情報欄
２１５　　原稿枚数欄
２１６　　セット欄
２１７　　登録日時欄
２１８　　選択キー
２１９　　プリンタジョブマーク
２２０　　コピージョブマーク
３１１　　仕切り板
３１２　　反射板
３１３　　凹陥部
３１４　　用紙
３４１　　手差しトレイ
８０１　　設定記憶部（記憶手段）
８０２　　並び替え制御部（制御部）
【図１】
2004131263.tif 000003
【図２】
2004131263.tif 000004
【図３】
2004131263.tif 000005
【図４】
2004131263.tif 000006
【図５】
2004131263.tif 000007
【図６】
2004131263.tif 000008
【図７】
2004131263.tif 000009
【図８】
2004131263.tif 000010
【図９】
2004131263.tif 000011
【図１０】
2004131263.tif 000012
【図１１】
2004131263.tif 000013
【図１２】
2004131263.tif 000014
【図１３】
2004131263.tif 000015
【図１４】
2004131263.tif 000016
【図１５】
2004131263.tif 000017
【図１６】
2004131263.tif 000018
【図１７】
2004131263.tif 000019